【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
プリントヘッド集合体であって、
複数の開口部を備えたフレームと、
前記複数の開口部の一つ内にそれぞれ位置決めされた複数の射出アセンブリと、
該射出アセンブリを前記フレームに対して整列させる一つまたは複数の整列素子と、
一つの射出アセンブリと前記フレームとの間の隙間をそれぞれが密封するように配置された複数のシール素子とを備え、
該シール素子は、流体に曝された場合に、前記射出アセンブリと前記フレームとの間の隙間に前記流体が侵入するのを実質的に防止するものであることを特徴とするプリントヘッド集合体。
【請求項２】
前記フレームが、前記射出アセンブリを収容する囲いの一部であり、かつ該フレームの表面が前記囲いの表面を形成していることを特徴とする請求項１記載のプリントヘッド集合体。
【請求項３】
前記シール素子は、前記囲いの表面が流体に曝された場合に、流体が前記囲い内に侵入するのを実質的に防止するものであることを特徴とする請求項２記載のプリントヘッド集合体。
【請求項４】
前記囲いは少なくとも１個の射出流体の貯留室を収容し、動作時に前記射出アセンブリが前記射出流体の小滴を被印刷体上に堆積させることを特徴とする請求項２記載のプリントヘッド集合体。
【請求項５】
前記射出流体がインクであることを特徴とする請求項４記載のプリントヘッド集合体。
【請求項６】
前記シール素子がＯリングであることを特徴とする請求項１記載のプリントヘッド集合体。
【請求項７】
前記シール素子がゴムから形成されたものであることを特徴とする請求項１記載のプリントヘッド集合体。
【請求項８】
前記一つまたは複数の整列素子が取付けバーおよびピンを含み、該ピンが前記取付けバーおよび前記射出アセンブリを前記フレームに取り付けていることを特徴とする請求項１記載のプリントヘッド集合体。
【請求項９】
前記複数の射出アセンブリが、前記フレームの表面にほぼ平行な複数のノズルプレートを備え、かつ該ノズルプレートが前記フレームの表面から凹んでいることを特徴とする請求項１記載のプリントヘッド集合体。
【請求項１０】
装置であって、
小滴を吐出することが可能な複数のノズルを備えた射出アセンブリと、
該射出アセンブリを前記装置内に位置決めするように構成されたフレームと、
前記射出アセンブリを前記フレームに対して整列させる一つまたは複数の整列素子と、
前記フレームと前記射出アセンブリとの間のシールを形成するシール素子とを備え、
該シール素子は、前記フレームと前記射出アセンブリとの間の隙間を埋めるものであることを特徴とする装置。
【請求項１１】
前記複数のノズルが前記射出アセンブリのノズルプレート内に配置され、該ノズルプレートが前記フレームの表面とほぼ平行に配置されていることを特徴とする請求項１０記載の装置。
【請求項１２】
前記ノズルプレートが前記フレームの表面と同一表面上に配置されていることを特徴とする請求項１１記載の装置。
【請求項１３】
前記フレームが、１個以上の付加的射出アセンブリを前記装置内に位置決めするように構成されていることを特徴とする請求項１０記載の装置。
【請求項１４】
前記射出アセンブリが、本体およびノズルプレートを備えていることを特徴とする請求項１０記載の装置。
【請求項１５】
前記射出アセンブリの本体が、複数の流路および圧電式アクチュエータを備え、前記複数の流路が前記ノズルプレート内の複数のノズルに対応し、前記圧電式アクチュエータが前記複数の流路内の流体内に圧力変化を生じさせて前記複数のノズルを通じて流体の小滴を吐出させるように構成されていることを特徴とする請求項１４記載の装置。
【請求項１６】
前記一つまたは複数の整列素子が取付けバーおよびピンを含み、該ピンが前記取付けバーおよび前記射出アセンブリを前記フレームに取り付けていることを特徴とする請求項１０記載の装置。
【請求項１７】
前記ノズルプレートが前記フレームの表面から凹んでいることを特徴とする請求項１１記載の装置。
【請求項１８】
システムであって、
複数の射出アセンブリを包含するプリントヘッド集合体囲いを備え、前記複数の射出アセンブリのそれぞれが前記囲いの表面の対応する開口部内に位置決めされ、各射出アセンブリと前記表面の間の間隙は実質的に密封されており、
前記射出アセンブリを前記フレームに対して整列させる一つまたは複数の整列素子を備え、かつ
動作時に前記複数の射出アセンブリが被印刷体上に小滴を吐出するようにするために、前記プリントヘッド集合体の面に対して前記被印刷体を位置決めするように構成されたコンベアを備えていることを特徴とするシステム。
【請求項１９】
前記コンベアが、連続するシート状体からなる被印刷体を前記プリントヘッド集合体の面に対して位置決めするように構成されていることを特徴とする請求項１８記載のシステム。
【請求項２０】
前記プリントヘッド集合体囲い内の前記複数の射出アセンブリの動作を制御するように構成された制御モジュールをさらに備えていることを特徴とする請求項１８記載のシステム。
【請求項２１】
前記プリントヘッド集合体から遠方の供給タンクをさらに備え、該供給タンクが、前記プリントヘッド集合体囲い内の前記複数の射出アセンブリに流体を供給するように構成されていることを特徴とする請求項１８記載のシステム。
【請求項２２】
前記一つまたは複数の整列素子が取付けバーおよびピンを含み、該ピンが前記取付けバーを前記射出アセンブリおよび前記フレームに取り付けていることを特徴とする請求項１８記載のシステム。
【請求項２３】
前記複数の射出アセンブリが、前記フレームの表面とほぼ平行な複数のノズルプレートを備え、該ノズルプレートが前記フレームの表面から凹んでいることを特徴とする請求項１８記載のシステム。
【請求項２４】
プリントヘッド集合体であって、
複数の開口部を備えたフレームと、
前記複数の開口部の一つ内にそれぞれ位置決めされた複数の射出アセンブリと、
該射出アセンブリを前記フレームに対して整列させる一つまたは複数の整列素子とを備え、該一つまたは複数の整列素子は取付けバーおよびピンを含み、該ピンが前記取付けバーおよび前記射出アセンブリを前記フレームに取り付けており、さらに
一つの射出アセンブリと前記フレームとの間の隙間をそれぞれ密封するように配置された複数のシール素子を備え、該シール素子は、流体に曝された場合に、前記射出アセンブリと前記フレームとの間の隙間に前記液体が侵入するのを実質的に防止するものであることを特徴とするプリントヘッド集合体。
【請求項２５】
装置であって、
小滴を吐出することが可能な複数のノズルを備えた射出アセンブリと、
該射出アセンブリを前記装置内に位置決めするように構成されたフレームと、
前記射出アセンブリを前記フレームに対して整列させる一つまたは複数の整列素子とを備え、
該一つまたは複数の整列素子は取付けバーおよびピンを含み、該ピンが前記取付けバーおよび前記射出アセンブリを前記フレームに取り付けており、さらに
前記フレームと前記射出アセンブリとの間にシールを形成する一つの素子を備え、
前記シールは、前記フレームと前記射出アセンブリとの間の隙間を埋めるものであることを特徴とする装置。
【請求項２６】
システムであって、
複数の射出アセンブリを包含するプリントヘッド集合体囲いを備え、前記射出アセンブリのそれぞれが前記囲いの表面の対応する開口部内に位置決めされ、各射出アセンブリと前記表面の間の間隙は実質的に密封されており、
前記射出アセンブリを前記フレームに対して整列させる一つまたは複数の整列素子を備え、該一つまたは複数の整列素子は取付けバーおよびピンを含み、該ピンが前記取付けバーおよび前記射出アセンブリを前記フレームに取り付けており、さらに
動作時に前記複数の射出アセンブリが被印刷体上に小滴を吐出するようにするために、前記プリントヘッド集合体の面に対して前記被印刷体を位置決めするように構成されたコンベアを備えていることを特徴とするシステム。
【請求項２７】
プリントヘッド集合体であって、
複数の開口部を備えたフレームと、
前記複数の開口部の一つ内にそれぞれ位置決めされた複数の射出アセンブリと、
該射出アセンブリを前記フレームに対して整列させる一つまたは複数の整列素子と、
一つの射出アセンブリと前記フレームとの間の隙間をそれぞれ密封するように配置された複数のＯリングとを備え、該Ｏリングは、流体に曝された場合に、前記射出アセンブリと前記フレームとの間の隙間に前記流体が侵入するのを防止するものであることを特徴とするプリントヘッド集合体。